(57)【要約】【課題】使用中にベッドの床部を上昇させてしまった場合のようにテーブル板の下方に外力が加わった場合には、ガススプリングのロック機構を動作させて、ロックを解除することにより破損を防止するための安全機構をオーバーベッドテーブルにおいて提供する。【解決手段】本発明では、ロック解除部材７を押動操作する操作レバー８をテーブル板２の両端部に回動可能に設け、一方側には押動部材９を設け、両側の操作レバー間に連動ワイヤー１０を張設して、他方側の操作レバーでも操作可能としたオーバーベッドテーブルにおいて、テーブル板の下側にケーシング１２を設けると共に、連動ワイヤーを案内車によりケーシングの底板１４の近傍に張設し、底板には連動ワイヤーに対応して長孔１５を形成し、それに遊嵌する細長作動部材１６を、その下面をケーシングの底板よりも下方に突出させ、上方に移動可能とするように長孔内に支持した安全機構を提案する。【選択図】図８
2011234974.tif 000002
【特許請求の範囲】
【請求項１】
細長形状のテーブル板の長手方向の両端部に一対の伸縮可能な支柱部を設け、一方側の支柱部に対応してガススプリングを設けると共に、このガススプリングの上端側に設けたロック解除部材を押動操作する操作レバーを前記テーブル板の両端部に回動可能に設けて、一方側の操作レバーには、前記ロック解除部材を押動する押動部材を設けると共に、両側の操作レバー間に連動ワイヤーを張設して、他方側の操作レバーにより連動ワイヤーを介して前記一方側の操作レバーを操作可能とした構成のオーバーベッドテーブルにおいて、テーブル板の下側に機構要素のケーシングを設けると共に、前記連動ワイヤーを案内車により前記ケーシングの底板の近傍に張設し、この底板には連動ワイヤーに対応して長孔を形成すると共に、この長孔に遊嵌する細長作動部材を、その下面をケーシングの底板よりも下方に突出させると共に、上方に移動可能とするように前記長孔内に支持したことを特徴とするオーバーベッドテーブルにおける安全機構。
【請求項２】
細長作動部材の両端側に、長孔の幅よりも長い幅方向の支持棒体を突設し、この支持棒体をケーシング内から長孔の周縁に係合して、細長作動部材を上方に移動可能に支持したことを特徴とする請求項１に記載のオーバーベッドテーブルにおける安全機構。
【発明の詳細な説明】
【技術分野】
【０００１】
本発明はオーバーベッドテーブルに関し、特に、使用中にベッドの床部を上昇させてしまった場合のように、オーバーベッドテーブルのテーブル板の下方に外力が加わった場合に、破損を防止するための安全機構に関するものである。
【背景技術】
【０００２】
オーバーベッドテーブルは、例えば特許文献１に示されるように、細長形状のテーブル板の長手方向の両端部に一対の伸縮可能な支柱部を設けると共に、夫々の支柱部の下端部にはテーブル板の長手方向と直交する方向に細長い脚部を設けて、この脚部の両端側にキャスターを設け、更に、一対の伸縮可能な支柱部を連動して伸縮するための滑車機構を設けると共に、支柱部を所望の伸縮位置で固定するための手段を設けた構成を基本構成としており、ベッドの長手方向に移動して所定位置にもたらして使用するものである。
【０００３】
特許文献１のオーバーベッドテーブルにおける固定手段は、一方側の支柱部に対応して設けたロック機構付きのガススプリングと、それを操作するためにテーブル板の一方の長手方向端部の下側に設けた操作レバーとから構成しており、この構成では、操作レバーによるガススプリングのロック機構の解除は、テーブル板の一方の端部側からのみ可能である。
【０００４】
一方、特許文献２に記載されたオーバーベッドテーブルでは、一方側の支柱部に対応して設けたガススプリングのロック機構の解除をテーブル板の両端部側から行えるようにするために、操作レバーをテーブル板の両端部側に設け、一方側の操作レバーでは、それに設けた作動部により直接的にガススプリングのロック機構を操作可能とすると共に、他方側の操作レバーは、ワイヤーにより一方側の操作レバーに連動可能に接続して、間接的にロック機構を操作可能としている。
【０００５】
これらの特許文献１、特許文献２に示されるように、従来のオーバーベッドテーブルでは、オーバーベッドテーブルを使用中にベッドの床部を上昇させてしまった場合のように、オーバーベッドテーブルのテーブル板の下方に外力が加わった場合に、テーブル板を上昇可能として、破損を防止するための安全機構が設けられていない。
【０００６】
一方、特許文献３は、キャスターを設けた基台の片側に立設した伸縮可能な支柱部の上端にテーブル板を片持ちで支持し、ベッドの幅方向に移動して所定位置にもたらして使用するベッドサイドテーブルであり、このベッドサイドテーブルには、使用中にベッドの床部を上昇させてしまった場合のように、テーブル板の下方に外力が加わった場合に、テーブル板を上昇可能として、破損を防止するための安全機構が記載されている。
【０００７】
この安全機構は、ベッドの床部を上昇してテーブル板に、下から持ち上げる方向の外力が加わった場合には、テーブル板が、その支持枠と共に回動上昇して傾斜し、この傾斜動作において操作レバーを動作させてガススプリングのロック機構のロック動作を解除するというものである。
【０００８】
この安全機構は、テーブル板が傾斜可能に支持されていることを条件としているため、テーブル板の両端部側に支柱部を有するオーバーベッドテーブルに適用することはできない。
【先行技術文献】
【特許文献】
【０００９】
【特許文献１】実開昭５８−１１４１３２号公報
【特許文献２】特開平７−２６５１３４号公報
【特許文献３】特許第２７７８６８３号公報
【発明の概要】
【発明が解決しようとする課題】
【００１０】
本発明では、上述した従来の技術に鑑みて創案されたもので、使用中にベッドの床部を上昇させてしまった場合のように、テーブル板の下方に外力が加わった場合には、ガススプリングのロック機構を動作させて、そのロックを解除することによりテーブル板を上昇可能として破損を防止するための安全機構を、オーバーベッドテーブルにおいて提供することを課題とするものである。
【課題を解決するための手段】
【００１１】
上述した課題を解決するために本発明では、細長形状のテーブル板の長手方向の両端部に一対の伸縮可能な支柱部を設け、一方側の支柱部に対応してガススプリングを設けると共に、このガススプリングの上端側に設けたロック解除部材を押動操作する操作レバーを前記テーブル板の両端部に回動可能に設けて、一方側の操作レバーには、前記ロック解除部材を押動する押動部材を設けると共に、両側の操作レバー間に連動ワイヤーを張設して、他方側の操作レバーにより連動ワイヤーを介して前記一方側の操作レバーを操作可能とした構成のオーバーベッドテーブルにおいて、テーブル板の下側に機構要素のケーシングを設けると共に、前記連動ワイヤーを案内車により前記ケーシングの底板の近傍に張設し、この底板には連動ワイヤーに対応して長孔を形成すると共に、この長孔に遊嵌する細長作動部材を、その下面をケーシングの底板よりも下方に突出させると共に、上方に移動可能とするように前記長孔内に支持したオーバーベッドテーブルにおける安全機構を提案している。
【００１２】
また本発明では、上記の構成において、細長作動部材の両端側に、長孔の幅よりも長い幅方向の支持棒体を突設し、この支持棒体をケーシング内から長孔の周縁に係合して、細長作動部材を上方に移動可能に支持したオーバーベッドテーブルにおける安全機構を提案している。
【発明の効果】
【００１３】
本発明では、一方側の支柱部に対応してガススプリングを設けると共に、このガススプリングの上端側に設けたロック解除部材を押動操作する操作レバーを前記テーブル板の両端部に回動可能に設けて、これらの操作レバーを連動ワイヤーにより連動操作可能とした機構を用いたオーバーベッドテーブルにおいて、この連動ワイヤーを合理的に利用して、使用中にベッドの床部を上昇させてしまった場合のように、テーブル板の下方に外力が加わった場合には、ガススプリングのロック機構を動作させて、そのロックを解除することによりテーブル板を上昇可能として破損を防止するための安全機構を構成することができる。
【図面の簡単な説明】
【００１４】
【図１】図１は本発明に係るオーバーベッドテーブルを斜め上方から見た斜視図である。
【図２】図２は本発明に係るオーバーベッドテーブルを斜め下方から見た斜視図である。
【図３】図３は本発明に係るオーバーベッドテーブルを、テーブル板を取り外した状態で斜め上方から見た斜視図である。
【図４】図４は本発明に係るオーバーベッドテーブルを、テーブル板を取り外した状態で正面側から見た概略断面図である。
【図５】図５は図４の要部を拡大して示す概略断面図である。
【図６】図６は本発明に係るオーバーベッドテーブルを、テーブル板を取り外した状態で図４とは別の局面において正面側から見た概略断面図である。
【図７】図７は図６の要部を拡大して示す概略断面図である。
【図８】図８は本発明に係るオーバーベッドテーブルを、テーブル板を取り外した状態で図４、図６とは別の局面において正面側から見た概略断面図である。
【発明を実施するための形態】
【００１５】
次に本発明を適用したオーバーベッドテーブルの一例を図１〜図８を参照して説明する。
まず、図において、符号１はオーバーベッドテーブルを示すもので、このオーバーベッドテーブル１は、細長形状のテーブル板２の長手方向の両端部に一対の伸縮可能な支柱部３ａ，３ｂを設け、夫々の支柱部３ａ，３ｂの下端部にはテーブル板２の長手方向と直交する方向に細長い脚部４ａ，４ｂを設けて、この脚部４ａ，４ｂの両端側にキャスター５を設けている。
【００１６】
そして、一方側の支柱部３ａに対応してガススプリング６を設けると共に、このガススプリング６の上端側に設けたロック解除部材７を押動操作する操作レバー８ａ，８ｂを前記テーブル板２の両端部に回動可能に設けている。そして一方側の操作レバー８ａには、前記ロック解除部材７を押動する押動部材９を設けると共に、両側の操作レバー８ａ，８ｂ間に連動ワイヤー１０を張設することにより、他方側の操作レバー８ｂを操作することにより連動ワイヤー１０を介して前記一方側の操作レバー８ａを操作可能とし、これによりロック解除部材７を押動操作可能として構成している。このように他方側の操作レバー８ｂを操作することにより連動ワイヤー１０を介して前記一方側の操作レバー８ａを操作可能とするために、他方側の操作レバー８ｂの前方側には連動ワイヤー１０を下方に移動して引っ張るための案内部１１を形成している。尚、図中符号ｏは操作レバー８ａ，８ｂの回動軸を示すものである。
【００１７】
次に符号１２はテーブル板の下側に設けたケーシングであり、このケーシング１２には適宜に案内車１３を設けて、連動ワイヤー１０をケーシング１２の底板１４の近傍に張設する構成としている。そして底板１４には連動ワイヤー１０に対応して長孔１５を形成すると共に、この長孔１５に遊嵌する細長作動部材１６を、その下面をケーシング１２の底板１４よりも下方に突出させると共に、上方に移動可能とするように長孔１５内に支持している。
【００１８】
即ち、この実施の形態では、細長作動部材１６の両端側には、長孔１５の幅よりも長い、幅方向の支持棒体１７を突設しており、この支持棒体１７をケーシング１２内から長孔１５の周縁に係合して、細長作動部材１６を上方に移動可能に支持している。
【００１９】
尚、図３において、符号１８は左右側の支柱部３ａ，３ｂを連動して昇降させるための滑車機構を構成するワイヤーであり、滑車機構は前記特許文献１や特許文献２に記載されているものと同様な適宜の構成を用いることができる。
【００２０】
以上の構成において、図４、図５は操作レバー８ａ，８ｂのいずれもを操作していない状態であり、この場合には、操作レバー８ａ，８ｂは図示を省略している戻しばねとストッパーにより、操作をしない位置に維持されている。
【００２１】
この状態で操作レバー８ｂを図中反時計回りに回動すると、図６、図７に示すように操作レバー８ｂの案内部１１が連動ワイヤー１０を下方に下げるため、この連動ワイヤー１０が引かれ、操作レバー８ａを図中時計回りに回動する。従って、この回動により押動部材９がロック解除部材７を押動するため、ガススプリング６のロックが解除されて伸縮が可能となる。こうして、支柱部３ａ，３ｂを伸縮してテーブル板２の高さを調節することができる。
【００２２】
図４、図５の状態において、操作レバー８ａを直接的に図中時計回りに回動すると、押動部材９がロック解除部材７を押動するため、ガススプリング６のロックが解除されて伸縮が可能となる。こうして、支柱部３ａ，３ｂを伸縮してテーブル板２の高さを調節することができる。
【００２３】
このようにして、いずれの操作レバー８ａ，８ｂの操作によっても一方側の支柱部３ａに設けたガススプリング６のロック機構を解除して支柱部３ａ，３ｂの伸縮を可能とすることができる。
【００２４】
ここで、図４、図５の状態において、ベッドの床部を上昇してしまい、ベッド上部の部材１９がテーブル板２の底部に当接するような場合には、まず部材１９が細長作動部材１６の底面に当接して、これを上方に持ち上げる。
【００２５】
図８に示すように、細長作動部材１６が持ち上げられると、それと共に連動ワイヤー１０が持ち上げられて、連動ワイヤー１０に張力が生じるので、操作レバー８ａは連動ワイヤー１０に引かれて図中時計回りに回動する。従って、この回動により押動部材９がロック解除部材７を押動するため、ガススプリング６のロックが解除されて伸縮が可能となる。
【００２６】
このため、更にベッドの床部の上昇が継続した場合でも、それに従ってテーブル板２も上昇するため、無理な力が加わることがない。
【００２７】
こうして本発明では、上述したとおり、一方側の支柱部３ａに対応してを設けたガススプリング６のロック機構を、テーブル板２の両端部に設けた操作レバー８ａ，８ｂのいずれによっても操作可能するための連動ワイヤー１０を合理的に利用して、使用中にベッドの床部を上昇させてしまった場合のように、テーブル板１０の下方に外力が加わった場合には、ガススプリング６のロック機構を動作させて、そのロックを解除することによりテーブル板２を上昇可能として破損を防止するための安全機構を構成することができる。
【符号の説明】
【００２８】
１                オーバーベッドテーブル
２                テーブル板
３ａ，３ｂ        支柱部
４ａ，４ｂ        脚部
５                キャスター
６                ガススプリング
７                ロック解除部材
８ａ，８ｂ        操作レバー
９                押動部材
１０              連動ワイヤー
１１              案内部
１２              ケーシング
１３              案内車
１４              底板
１５              長孔
１６              細長作動部材
１７              支持棒体
１８              ワイヤー
１９              部材
ｏ                回動軸
【図１】
2011234974.tif 000003
【図２】
2011234974.tif 000004
【図３】
2011234974.tif 000005
【図４】
2011234974.tif 000006
【図５】
2011234974.tif 000007
【図６】
2011234974.tif 000008
【図７】
2011234974.tif 000009
【図８】
2011234974.tif 000010